(57)【要約】【課題】ユーザの購買活動の範囲を拡張させること。【解決手段】本願に係る登録装置は、受付部と、登録部とを備える。受付部は、端末装置に配信された広告コンテンツであって、所定の商品が紐づけられている広告コンテンツについて、端末装置を利用するユーザから登録要求を受け付ける。登録部は、受付部によって広告コンテンツの登録要求が受け付けられた場合に、広告コンテンツに関する情報と、ユーザとを対応付けて登録する。例えば、登録部は、広告コンテンツに関する情報として、所定の商品の識別情報、及び、所定の商品を商材として取り扱うサイトの識別情報を登録する。【選択図】図１
2017167998.tif 000002
【特許請求の範囲】
【請求項１】
端末装置に配信された広告コンテンツであって、所定の商品が紐づけられている広告コンテンツについて、当該端末装置を利用するユーザから登録要求を受け付ける受付部と、
前記受付部によって広告コンテンツの登録要求が受け付けられた場合に、当該広告コンテンツに関する情報と、前記ユーザとを対応付けて登録する登録部と、
を備えることを特徴とする登録装置。
【請求項２】
前記受付部は、
当該所定の商品の識別情報、及び、当該所定の商品を商材として取り扱うサイトの識別情報が紐づけられている広告コンテンツについて登録要求を受け付け、
前記登録部は、
前記広告コンテンツに関する情報として、前記所定の商品の識別情報、及び、当該所定の商品を商材として取り扱うサイトの識別情報を登録する、
ことを特徴とする請求項１に記載の登録装置。
【請求項３】
前記登録部は、
前記広告コンテンツを登録した場合に、さらに、当該広告コンテンツに紐付けられた所定の商品を商材として取り扱うサイト側における登録情報として、当該所定の商品を前記ユーザと対応付けて登録させる、
ことを特徴とする請求項２に記載の登録装置。
【請求項４】
前記登録部によって前記広告コンテンツが登録された場合に、当該広告コンテンツの広告主に対して、当該広告コンテンツの登録に関する情報を送信する送信部、
をさらに備えることを特徴とする請求項１〜３のいずれか一つに記載の登録装置。
【請求項５】
前記送信部は、
前記登録部によって前記広告コンテンツが登録された場合に、当該広告コンテンツの広告主、又は、当該所定の商品を商材として取り扱うサイトに対して、当該広告コンテンツと対応付けられて登録されたユーザに関する情報を送信する、
ことを特徴とする請求項４に記載の登録装置。
【請求項６】
前記送信部は、
前記登録部によって前記広告コンテンツが登録された場合に、当該広告コンテンツの広告主に対して、当該広告コンテンツを掲載した媒体側への報酬の支払額を算定する、
ことを特徴とする請求項４又は５に記載の登録装置。
【請求項７】
前記送信部は、
前記登録部によって登録された前記広告コンテンツの広告効果に基づいて、当該広告コンテンツの広告主に対して、当該広告コンテンツを掲載した媒体側への報酬の支払額を算定する、
ことを特徴とする請求項４〜６のいずれか一つに記載の登録装置。
【請求項８】
前記登録部によって登録された広告コンテンツに関する情報について、ユーザごとにリスト化されたリストを前記ユーザに提供する提供部、
をさらに備えることを特徴とする請求項１〜７のいずれか一つに記載の登録装置。
【請求項９】
前記リストに含まれる広告コンテンツについて、当該広告コンテンツの広告主、又は、当該広告コンテンツに紐付けられた商品を商材として取り扱うサイトに問い合わせることにより、当該広告コンテンツに関する情報を更新する更新部、
をさらに備えることを特徴とする請求項８に記載の登録装置。
【請求項１０】
前記提供部は、
前記リストとして、当該リストを介して前記所定の商品への購買活動をユーザに行わせること、又は、当該リストを介して当該所定の商品を商材として取り扱うサイトへユーザにアクセスさせることが可能なリストを提供する、
ことを特徴とする請求項８又は９に記載の登録装置。
【請求項１１】
広告コンテンツを配信する配信部をさらに備え、
前記配信部は、
前記リストに含まれる広告コンテンツに基づいて、当該リストに対応するユーザに対して新たに配信する広告コンテンツを決定する、
ことを特徴とする請求項８〜１０のいずれか一つに記載の登録装置。
【請求項１２】
前記配信部は、
前記ユーザに新たに配信する広告コンテンツとして、当該ユーザに対応するリストに含まれる広告コンテンツ以外の広告コンテンツを決定する、
ことを特徴とする請求項１１に記載の登録装置。
【請求項１３】
コンピュータが実行する登録方法であって、
端末装置に配信された広告コンテンツであって、所定の商品が紐づけられている広告コンテンツについて、当該端末装置を利用するユーザから登録要求を受け付ける受付工程と、
前記受付工程によって広告コンテンツの登録要求が受け付けられた場合に、当該広告コンテンツに関する情報と、前記ユーザとを対応付けて登録する登録工程と、
を含んだことを特徴とする登録方法。
【請求項１４】
端末装置に配信された広告コンテンツであって、所定の商品が紐づけられている広告コンテンツについて、当該端末装置を利用するユーザから登録要求を受け付ける受付手順と、
前記受付手順によって広告コンテンツの登録要求が受け付けられた場合に、当該広告コンテンツに関する情報と、前記ユーザとを対応付けて登録する登録手順と、
をコンピュータに実行させることを特徴とする登録プログラム。
【請求項１５】
端末装置で実行される要求プログラムであって、
前記端末装置に配信された広告コンテンツであって、所定の商品が紐づけられている広告コンテンツを当該端末装置の画面上に表示するよう制御する表示制御手順と、
前記表示制御手順によって表示された広告コンテンツに対して、前記端末装置を利用するユーザから、当該広告コンテンツの登録を要求するための操作が行われたことを検知する検知手順と、
前記検知手順によって前記広告コンテンツの登録を要求するための操作が行われたと検知された場合に、当該広告コンテンツの登録要求を送信する要求手順と、
を前記端末装置に実行させることを特徴とする要求プログラム。
【発明の詳細な説明】
【技術分野】
【０００１】
本発明は、登録装置、登録方法、登録プログラムおよび要求プログラムに関する。
【背景技術】
【０００２】
近年、インターネットを介した購買活動が盛んに行われている。例えば、インターネット上のショッピングサイトやオークションサイトを利用して、ユーザは、所望する商品を購入することができる。
【０００３】
このようなインターネットを介した購買活動に関する技術として、ユーザが、互いに異なるオンラインショッピングサイトの商品を選択したり、統合されたウィッシュリスト（Wish  List）を利用したりすることのできる技術が知られている。
【先行技術文献】
【特許文献】
【０００４】
【特許文献１】特開２０１３−２１８６９７号公報
【発明の概要】
【発明が解決しようとする課題】
【０００５】
しかしながら、上記の従来技術では、ユーザの購買活動の範囲を拡張させることができるとは限らない。例えば、従来技術では、複数のサイト間で統合されたウィッシュリストを利用することができるに過ぎない。このため、ユーザは、頻繁に利用する複数のサイト内で購買活動を継続する可能性がある。すなわち、従来技術では、ユーザにとって未知のサービスに対して関心を惹起させることが難しく、ユーザの購買活動の範囲を拡張させることができないおそれがある。
【０００６】
本願は、上記に鑑みてなされたものであって、ユーザの購買活動の範囲を拡張させることができる登録装置、登録方法、登録プログラムおよび要求プログラムを提供することを目的とする。
【課題を解決するための手段】
【０００７】
本願に係る登録装置は、端末装置に配信された広告コンテンツであって、所定の商品が紐づけられている広告コンテンツについて、当該端末装置を利用するユーザから登録要求を受け付ける受付部と、前記受付部によって広告コンテンツの登録要求が受け付けられた場合に、当該広告コンテンツに関する情報と、前記ユーザとを対応付けて登録する登録部と、を備えることを特徴とする。
【発明の効果】
【０００８】
実施形態の一態様によれば、ユーザの購買活動の範囲を拡張させることができるという効果を奏する。
【図面の簡単な説明】
【０００９】
【図１】図１は、実施形態に係る登録処理の一例を示す図である。
【図２】図２は、実施形態に係る登録システムの構成例を示す図である。
【図３】図３は、実施形態に係る広告装置の構成例を示す図である。
【図４】図４は、実施形態に係る広告情報記憶部の一例を示す図である。
【図５】図５は、実施形態に係るユーザ情報記憶部の一例を示す図である。
【図６】図６は、実施形態に係る登録情報記憶部の一例を示す図である。
【図７】図７は、実施形態に係る提供処理の一例を説明する図である。
【図８】図８は、実施形態に係るコンテンツ配信サーバの構成例を示す図である。
【図９】図９は、実施形態に係るユーザ端末の構成例を示す図である。
【図１０】図１０は、実施形態に係る登録システムによる処理手順を示すシーケンス図（１）である。
【図１１】図１１は、実施形態に係る登録システムによる処理手順を示すシーケンス図（２）である。
【図１２】図１２は、登録装置の機能を実現するコンピュータの一例を示すハードウェア構成図である。
【発明を実施するための形態】
【００１０】
以下に、本願に係る登録装置、登録方法、登録プログラム及び要求プログラムを実施するための形態（以下、「実施形態」と呼ぶ）について図面を参照しつつ詳細に説明する。なお、この実施形態により本願に係る登録装置、登録方法、登録プログラム及び要求プログラムが限定されるものではない。また、以下の各実施形態において同一の部位には同一の符号を付し、重複する説明は省略される。
【００１１】
〔１．登録処理の一例〕
まず、図１を用いて、実施形態に係る登録処理の一例について説明する。図１は、実施形態に係る登録処理の一例を示す図である。図１では、本願に係る登録装置に対応する広告装置１００が、ユーザ端末１０に広告に係るコンテンツ（以下、「広告コンテンツ」と表記する）を配信し、配信した広告コンテンツに関して、ユーザ端末１０から登録要求を受け付ける処理について説明する。
【００１２】
図１に示した広告装置１００は、本願に係る登録装置に対応するサーバ装置であって、広告コンテンツを配信するサーバ装置である。例えば、広告装置１００は、ユーザ端末１０から広告配信要求を受け付けた場合に、広告コンテンツを配信する。また、広告装置１００は、配信した広告コンテンツに関して、登録要求を受け付ける。広告装置１００は、広告コンテンツの登録要求を受け付けた場合、登録を要求したユーザと、広告コンテンツとを対応付けて、所定の記憶部に登録する。
【００１３】
なお、広告コンテンツの登録とは、ユーザが気に入った広告コンテンツを、いつでも情報が取得可能なように保存しておくことをいう。すなわち、広告コンテンツの登録とは、広告コンテンツそのものをブックマーク（Bookmark）することと言い換えることもできる。
【００１４】
図１に示したユーザ端末１０は、スマートフォン等の携帯端末装置である。ユーザ端末１０は、液晶ディスプレイ等の出力部１３を有する。なお、実施形態に係るユーザ端末１０には、タッチパネルが採用されているものとする。すなわち、ユーザ端末１０のユーザは、図１で示す指５０や、専用ペンを用いて、出力部１３の表示面をタッチすることにより各種操作を行う。また、以下では、出力部１３を画面と表記する場合がある。なお、以下では、ユーザ端末１０をユーザと表記する場合がある。すなわち、以下では、ユーザをユーザ端末１０と読み替えることもできる。
【００１５】
ウェブページＷ１０は、ニュース等の各種トピックスが掲載されるポータルサイト用のコンテンツである。ここでは、ウェブページＷ１０の縦方向のサイズが、ユーザ端末１０の出力部１３における縦方向の表示サイズよりも長いものとする。このため、ユーザ端末１０の出力部１３内に位置するウェブページＷ１０の領域のみが出力部１３に表示され、出力部１３外に位置するウェブページＷ１０の領域は表示されない。ユーザ端末１０のユーザは、例えば、スクロール操作によって、ウェブページＷ１０のうち出力部１３内に表示させる内容を変更することができる。
【００１６】
図１に示すように、ウェブページＷ１０は、トピックスや広告コンテンツを表示する領域として、領域Ｆ０１〜Ｆ０５を有する。例えば、ユーザ端末１０は、ウェブページＷ１０を表示する際に、ウェブページＷ１０を構成するトピックスを配信するサーバにアクセスし、トピックスを取得する。そして、ユーザ端末１０は、ウェブページＷ１０が有する領域Ｆ０１〜Ｆ０５のいずれかに、取得したトピックスを表示する。なお、ユーザ端末１０は、一定時間ごとに新たなトピックスを取得して、ウェブページＷ１０の表示を更新するようにしてもよい。このような、時間経過とともに表示する内容が変化するウェブページＷ１０の表示は、例えば、タイムライン表示と呼ばれる。
【００１７】
また、ウェブページＷ１０には、広告配信要求が含まれるものとする。このため、ユーザ端末１０は、ウェブページＷ１０を表示する際に、ウェブページＷ１０内で表示される広告コンテンツを配信する広告装置１００にアクセスし、広告コンテンツを取得する。言い換えれば、ユーザ端末１０は、広告装置１００から広告コンテンツの配信を受け付ける。
【００１８】
図１に示す例では、ユーザ端末１０は、広告コンテンツＣ１１〜Ｃ１３を取得するものとする。そして、ユーザ端末１０は、ウェブページＷ１０が含む領域Ｆ０１〜Ｆ０５のいずれかに、取得した広告コンテンツＣ１１〜Ｃ１３のいずれかを表示する。例えば、ユーザ端末１０は、領域Ｆ０１と領域Ｆ０３と領域Ｆ０５とにトピックスを表示する場合には、その間の領域である領域Ｆ０２と領域Ｆ０４とに広告コンテンツを表示する。このような、ウェブページＷ１０を構成するトピックス等のコンテンツ間に表示される広告コンテンツは、例えば、インフィード広告と呼ばれる。
【００１９】
ここで、広告装置１００から配信される広告コンテンツＣ１１〜Ｃ１３には、それぞれ、所定の商品が紐づけられているものとする。例えば、広告コンテンツＣ１１には、商品Ｇ１１が紐づけられている。すなわち、広告コンテンツＣ１１には、商品Ｇ１１を識別する識別情報や、商品Ｇ１１を商材として取り扱うサイト（例えば、ショッピングサイト）を識別する識別情報や、商品Ｇ１１の現時点での価格など、商品Ｇ１１に関する情報が内部データとして含まれる。
【００２０】
同様に、広告コンテンツＣ１２には、商品Ｇ１２が紐づけられている。例えば、商品Ｇ１２は、オークションサイトで商材として取り扱われているものとする。この場合、広告コンテンツＣ１２には、商品Ｇ１２に関する情報として、オークションサイトにおける現在価格や、入札状況や、オークション終了日時などの購買に関する情報が内部データとして含まれる。
【００２１】
また、広告コンテンツには、商品の提供者やサイト管理者を広告主とする広告コンテンツだけではなく、一般ユーザがウェブページＷ１０に投稿するコンテンツであり、所定の商品を紹介する紹介記事のような、広告に係るコンテンツが含まれてもよい。例えば、広告コンテンツＣ１３は、商品Ｇ１３を勧めるユーザから投稿される紹介記事であるものとする。この場合であっても、広告コンテンツＣ１３には、例えば広告コンテンツＣ１３の投稿者によって、商品Ｇ１３に関する情報が予め紐づけられているものとする。
【００２２】
ここで、実際にユーザ端末１０がウェブページＷ１０を表示する状態について説明する。図１の第１状態は、ユーザ端末１０がウェブページＷ１０を出力部１３に表示した状態を示す。図１の第１状態に示すように、ユーザ端末１０は、出力部１３にウェブページＷ１０を表示する。例えば、ユーザ端末１０は、ウェブページＷ１０のうち、領域Ｆ０１と領域Ｆ０３とにウェブページＷ１０を構成するトピックスを表示する。また、ユーザ端末１０は、ウェブページＷ１０のうち、領域Ｆ０２に広告コンテンツＣ１１を表示し、領域Ｆ０４に広告コンテンツＣ１２を表示する。
【００２３】
ここで、ユーザ端末１０は、広告コンテンツＣ１１及び広告コンテンツＣ１２を表示する際、広告コンテンツＣ１１とともに登録マークＭ０１を表示し、広告コンテンツＣ１２とともに登録マークＭ０２を表示する。例えば、図１に示すように、ユーザ端末１０は、広告コンテンツＣ１１、広告コンテンツＣ１２に重畳させて、それぞれ登録マークＭ０１、登録マークＭ０２を表示する。
【００２４】
ユーザは、ウェブページＷ１０とともに表示される広告コンテンツＣ１１や広告コンテンツＣ１２について、それぞれに対応する登録マークをタッチ（選択）することにより、広告コンテンツの登録を行うことができる。
【００２５】
具体的には、ユーザ端末１０は、ユーザが登録マークをタッチした場合、その操作に基づいて、広告コンテンツの配信元である広告装置１００に登録の要求を送信する。そして、広告装置１００は、登録の要求に応答して、当該広告コンテンツとユーザとを対応付けて登録する。
【００２６】
ここで、ユーザが実際に広告コンテンツＣ１１や広告コンテンツＣ１２を登録する状況について説明する。ユーザ端末１０は、ユーザが登録マークＭ０１や登録マークＭ０２をタッチする操作を検知した場合に、図１の第２状態に遷移する（ステップＳ１１）。例えば、ユーザは、広告コンテンツＣ１１や広告コンテンツＣ１２に興味関心を抱き、登録を所望した場合に、広告コンテンツＣ１１や広告コンテンツＣ１２に対応する登録マークをタッチする。具体的には、図１の第２状態に示すように、ユーザは、指５０を用いて、広告コンテンツＣ１１に対応する登録マークＭ０１や、広告コンテンツＣ１２に対応する登録マークＭ０２をタッチする。
【００２７】
この場合、ユーザ端末１０は、例えば、登録マークＭ０１や登録マークＭ０２の色を変化させることで、広告コンテンツＣ１１や広告コンテンツＣ１２が登録されたか否かを示す。そして、ユーザ端末１０は、タッチされた登録マークに対応する広告コンテンツに関する情報を広告装置１００に送信し、広告コンテンツの登録を要求する（ステップＳ１２）。
【００２８】
広告装置１００は、ユーザ端末１０から広告コンテンツの登録要求を受け付けた場合、登録要求に係る広告コンテンツと、ユーザとを対応付けて、所定の記憶部に登録する。
【００２９】
図１の第２状態に示す例では、ユーザが、広告コンテンツＣ１１や広告コンテンツＣ１２を登録した状態を示している。なお、図示は省略するが、ユーザは、ウェブページＷ１０を下部にスクロールさせたり、所定時間が経過したりしたことによって、新たに画面上に表示された広告コンテンツＣ１３についても登録するものとする。
【００３０】
ユーザは、登録した広告コンテンツＣ１１〜Ｃ１３について、自身が登録した広告コンテンツをリスト化された登録リスト（以下、「お気に入りリスト」と表記する）として、表示させることができる。例えば、ユーザは、お気に入りリストを閲覧するための操作をユーザ端末１０に行うことにより、自身のお気に入りリストを表示する画面に遷移させる（ステップＳ１３）。図１の第３状態は、ユーザ端末１０にお気に入りリストＬ０１が表示されている状態を示している。
【００３１】
ユーザ端末１０は、ユーザからお気に入りリストＬ０１を閲覧するための操作を受け付けた場合には、広告装置１００にお気に入りリストＬ０１の取得を要求する。広告装置１００は、ユーザ端末１０からの要求に応答して、ユーザに対応するお気に入りリストＬ０１に関する情報をユーザ端末１０に送信する（ステップＳ１４）。
【００３２】
お気に入りリストＬ０１において、ユーザは、登録した広告コンテンツの管理を行うことができる。例えば、ユーザは、登録済みの広告コンテンツの登録マークを再びタッチすることで、お気に入りリストＬ０１から広告コンテンツを削除することができる。また、ユーザは、お気に入りリストＬ０１に表示された広告コンテンツのいずれかを選択することで、広告コンテンツの詳細情報を閲覧することができる。また、ユーザは、お気に入りリストＬ０１から、広告コンテンツに紐づけられている商品の購入要求を送信することができる。
【００３３】
また、ユーザ端末１０は、お気に入りリストＬ０１に登録されている広告コンテンツを最新の情報に更新して表示するようにしてもよい。すなわち、広告装置１００は、ユーザ端末１０からお気に入りリストＬ０１の取得を要求された場合に、お気に入りリストＬ０１に含まれる各広告コンテンツについて、紐づけられた商品を商材として取り扱うサイトにアクセスする。そして、広告装置１００は、各広告コンテンツに紐づけられた商品に関する最新の情報を取得する。例えば、広告装置１００は、お気に入りリストＬ０１を表示する時点における商品の現在価格等を取得する。そして、広告装置１００は、最新の情報に更新した広告コンテンツに関する情報を、お気に入りリストＬ０１で掲載する情報として、ユーザ端末１０に送信する。これにより、ユーザは、過去に登録した広告コンテンツに紐付けられた商品に関しても、現時点における情報を得ることができる。
【００３４】
上述してきたように、実施形態に係る広告装置１００は、ユーザ端末１０に配信された広告コンテンツであって、所定の商品が紐づけられている広告コンテンツについて、ユーザ端末１０を利用するユーザから登録要求を受け付ける。そして、広告装置１００は、広告コンテンツの登録要求が受け付けられた場合に、広告装置１００に対して、当該広告コンテンツに関する情報と、ユーザとを対応付けて登録する。
【００３５】
このように、実施形態に係る広告装置１００は、ウェブページＷ１０などのコンテンツ上に表示される広告コンテンツに関して、登録を受け付ける。そして、広告装置１００は、受け付けた広告コンテンツをリスト化して、ユーザに提供する。これにより、広告装置１００は、ユーザの購買活動の幅を拡大させるとともに、広告コンテンツの広告効果を増大させることができる。
【００３６】
例えば、ユーザ端末１０のユーザは、広告コンテンツＣ１１に係る商品Ｇ１１を取り扱うショッピングサイトを、今まで一度も訪問していない可能性がある。しかしながら、ユーザは、ウェブページＷ１０を閲覧中に流れてきた広告コンテンツＣ１１に関心を抱き、広告コンテンツＣ１１を登録したとする。この場合、ユーザは、お気に入りリストＬ０１を開くたびに、広告コンテンツＣ１１を視認することとなる。すなわち、通常であればウェブページＷ１０上に現れては消えていく広告コンテンツＣ１１が、ユーザの目に何度も触れることになる。これは、広告コンテンツＣ１１が発揮するブランディング効果を増大させる。
【００３７】
さらに、ユーザは、お気に入りリストＬ０１から直接、商品Ｇ１１を購入することも可能である。すなわち、ユーザは、商品Ｇ１１を商材として取り扱うサイトを訪問していないのにもかかわらず、商品Ｇ１１を購買する機会を得る。このように、広告装置１００によれば、今まで商品Ｇ１１と縁のなかったユーザについて、購買活動の範囲を拡張させることができる。
【００３８】
なお、広告装置１００は、広告コンテンツの表示態様を制御する制御情報を、広告コンテンツとともにユーザ端末１０に配信するようにしてもよい。例えば、制御情報は、ウェブページＷ１０上で広告コンテンツに登録マークを付与したり、ユーザが登録マークを選択した場合に登録要求を広告装置１００に送信したりするなどの制御処理を行う。このような制御情報は、例えば、ＪａｖａＳｃｒｉｐｔ（登録商標）やＣＳＳ（Cascading  Style  Sheets）等のスクリプト言語により記述される。また、制御情報は、広告装置１００が配信するのではなく、ウェブページＷ１０側に含まれていてもよい。
【００３９】
〔２．登録システムの構成〕
次に、図２を用いて、実施形態に係る登録システム１の構成について説明する。図２は、実施形態に係る登録システム１の構成例を示す図である。図２に示すように、登録システム１は、ユーザ端末１０と、広告主サーバ２０と、コンテンツ配信サーバ３０と、広告装置１００とを含む。ユーザ端末１０、広告主サーバ２０、コンテンツ配信サーバ３０および広告装置１００は、ネットワークＮを介して有線または無線により通信可能に接続される。なお、図２に示す登録システム１には、複数台のユーザ端末１０や、複数台の広告主サーバ２０や、複数台のコンテンツ配信サーバ３０が含まれてもよい。
【００４０】
ユーザ端末１０は、ウェブページ等のコンテンツを閲覧するユーザによって利用される情報処理装置である。例えば、ユーザ端末１０は、スマートフォン等の携帯電話機や、タブレット端末や、ＰＤＡ（Personal  Digital  Assistant）や、デスクトップ型ＰＣ（Personal  Computer）や、ノート型ＰＣ、ウェアラブルデバイス等である。
【００４１】
例えば、ユーザ端末１０は、ユーザによる操作にしたがって、コンテンツ配信サーバ３０からウェブページ（コンテンツの一例）を取得し、取得したウェブページを表示する。また、ユーザ端末１０は、ウェブページに広告取得命令が含まれる場合には、広告装置１００から広告コンテンツを取得し、取得した広告コンテンツをウェブページとともに表示する。
【００４２】
広告主サーバ２０は、広告主によって利用されるサーバ装置である。広告主サーバ２０は、広告主による操作にしたがって、所定の広告コンテンツを広告装置１００に入稿する。例えば、広告主サーバ２０は、広告コンテンツとして、静止画像や、動画像や、テキストデータや、広告コンテンツに対応するコンテンツを取得するためのＵＲＬ（Uniform  Resource  Locator）などを広告装置１００に入稿する。
【００４３】
なお、広告主は、広告コンテンツの入稿を代理店に依頼する場合がある。この場合、広告装置１００に広告コンテンツを入稿するのは代理店となる。以下では、「広告主」といった表記は、広告主だけでなく代理店を含む概念であり、「広告主サーバ」といった表記は、広告主サーバ２０だけでなく代理店によって利用される代理店装置を含む概念であるものとする。
【００４４】
また、広告主サーバ２０が入稿する広告コンテンツには、商品に関する情報が紐づけられているものとする。例えば、広告コンテンツには、広告コンテンツが宣伝対象とする商品が紐付けられる。具体的には、オークションサイトへ商品を出品する出品者や、オークションサイトを管理する管理者が広告主である場合、オークションサイトに出品されている商品が広告コンテンツに紐づけられる。なお、図１で例示した広告コンテンツＣ１１〜Ｃ１３では、広告コンテンツＣ１１〜Ｃ１３とともに商品Ｇ１１〜Ｇ１３が表示されていたが、商品は、必ずしも広告コンテンツＣ１１〜Ｃ１３とともに表示される必要はない。また、広告コンテンツには、複数の商品が紐付けられていてもよい。
【００４５】
また、広告主サーバ２０は、入稿した広告コンテンツに関して、広告装置１００から問い合わせがあった場合に、当該広告コンテンツに紐付けられた商品に関する最新の情報を送信する。例えば、広告主がショッピングサイトの管理者である場合、広告主サーバ２０は、広告コンテンツに紐付けられた商品に関する最新の価格や、当該商品の在庫の有無や、当該商品のレビュー結果など、種々の情報を広告装置１００に送信する。なお、広告主と、商品を取り扱うサイト側とが異なる場合には、サイトにおいて、広告主サーバ２０と同様の処理を行う所定のサーバによって、上記の処理が行われてもよい。
【００４６】
コンテンツ配信サーバ３０は、ユーザ端末１０にコンテンツを配信するウェブサーバである。例えば、コンテンツ配信サーバ３０は、コンテンツとして、ポータルサイト、ニュースサイト、オークションサイト、ＳＮＳ（Social  Networking  Service）サイト、天気予報サイト、ショッピングサイト、ファイナンス（株価）サイト、路線検索サイト、地図提供サイト、旅行サイト、飲食店紹介サイト、ウェブログなどに関連する各種情報を含むウェブページをユーザ端末１０に配信する。
【００４７】
ここで、コンテンツ配信サーバ３０によって配信されるウェブページは、例えば、ＨＴＭＬ（Hyper  Text  Markup  Language）により記述されたＨＴＭＬファイルや、ＸＭＬ（Extensible  Markup  Language）により記述されたＸＭＬファイル等により形成される。また、コンテンツ配信サーバ３０によって配信されるウェブページには、広告取得命令が含まれる。例えば、ウェブページを形成するＨＴＭＬファイル等には、広告装置１００のＵＲＬ等が広告取得命令として記述される。この場合、ユーザ端末１０は、ＨＴＭＬファイル等に記述されているＵＲＬにアクセスすることで、広告装置１００から広告コンテンツを取得する。
【００４８】
なお、コンテンツ配信サーバ３０からユーザ端末１０に配信される各種データは、実際にはウェブページを形成するＨＴＭＬファイルや画像等であるが、以下では、コンテンツ配信サーバ３０からユーザ端末１０に配信される各種データを「コンテンツ」と表記する場合がある。
【００４９】
広告装置１００は、上述のように、本願に係る登録装置に対応するサーバ装置であって、広告主サーバ２０から入稿された広告コンテンツを配信するサーバ装置である。広告装置１００は、広告コンテンツの配信先であるユーザ端末１０から、広告コンテンツの登録を受け付ける。そして、広告装置１００は、登録した広告コンテンツをリスト化したお気に入りリストをユーザに提供することで、ユーザの購買活動を促進させる。
【００５０】
〔３．広告装置の構成〕
次に、図３を用いて、実施形態に係る広告装置１００の構成について説明する。図３は、実施形態に係る広告装置１００の構成例を示す図である。図３に示すように、広告装置１００は、通信部１１０と、記憶部１２０と、制御部１３０とを有する。なお、広告装置１００は、広告装置１００を利用する管理者等から各種操作を受け付ける入力部（例えば、キーボードやマウス等）や、各種情報を出力するための出力部（例えば、液晶ディスプレイ等）を有してもよい。
【００５１】
（通信部１１０について）
通信部１１０は、例えば、ＮＩＣ（Network  Interface  Card）等によって実現される。かかる通信部１１０は、ネットワークＮと有線又は無線で接続され、ネットワークＮを介して、ユーザ端末１０や、広告主サーバ２０や、コンテンツ配信サーバ３０との間で情報の送受信を行う。
【００５２】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。実施形態に係る記憶部１２０は、広告情報記憶部１２１と、ユーザ情報記憶部１２２と、登録情報記憶部１２３を有する。以下、各記憶部について順に説明する。
【００５３】
（広告情報記憶部１２１について）
広告情報記憶部１２１は、広告コンテンツに関する情報を記憶する。ここで、図４に、実施形態に係る広告情報記憶部１２１の一例を示す。図４は、実施形態に係る広告情報記憶部１２１の一例を示す図である。図４に示した例では、広告情報記憶部１２１は、「広告主ＩＤ」、「広告コンテンツＩＤ」、「対応商品ＩＤ」、「配信元サイト」、「サイト識別情報」といった項目を有する。
【００５４】
「広告主ＩＤ」は、広告主または広告主サーバ２０を識別するための識別情報を示す。「広告コンテンツＩＤ」は、広告主サーバ２０から入稿された広告コンテンツを識別する識別情報を示す。「対応商品ＩＤ」は、広告コンテンツに紐付けられた商品を識別する識別情報を示す。
【００５５】
なお、図４の例では、対応商品ＩＤは、「Ｇ１１」や「Ｇ２１」などの概念で示しているが、対応商品ＩＤとして記憶される情報には、商品を一意に特定するための情報として、ショッピングサイトにおける商品の購買ページを特定するＵＲＬなどが含まれてもよい。また、商品がオークションサイトで出品されている商品である場合には、対応商品ＩＤには、当該商品に係るオークションを特定するオークションＩＤが含まれてもよい。
【００５６】
また、実施形態において、広告主ＩＤや、広告コンテンツＩＤや、対応商品ＩＤは、説明で用いる参照符号と共通するものとする。例えば、広告コンテンツＩＤが「Ｃ１１」である広告コンテンツは、「広告コンテンツＣ１１」を示す。
【００５７】
「配信元サイト」は、広告コンテンツに紐付けられた商品を商材として取り扱うサイトを特定する情報を示す。図４の例では、配信元サイトは、「ショッピングサイトＡＡＡ」や「オークションサイトＢＢＢ」などの名称で示す。
【００５８】
「サイト識別情報」は、広告コンテンツに紐付けられた商品を商材として取り扱うサイトを識別する識別情報を示す。図４の例では、サイト識別情報は、「Ｅ１１」や「Ｅ２１」などの概念で示しているが、実際には、サイト識別情報の項目には、サイトのＵＲＬやドメイン名等の情報が記憶される。
【００５９】
すなわち、図４では、広告主ＩＤ「ＣＬ１１」によって識別される広告主ＣＬ１１が、広告コンテンツＩＤ「Ｃ１１」や「Ｃ２１」で識別される広告コンテンツＣ１１や広告コンテンツＣ２１を入稿した例を示している。また、広告コンテンツＣ１１に紐付けられた商品は「Ｇ１１」であり、商品Ｇ１１は、「ショッピングサイトＡＡＡ」で商材として取り扱われており、ショッピングサイトＡＡＡを特定するサイト識別情報は「Ｅ１１」である例を示している。
【００６０】
なお、広告情報記憶部１２１には、図４に示した情報以外にも、広告コンテンツの現時点のインプレッション（Impression）数や、広告主から指定された指定インプレッション数や、広告コンテンツの配信の対価等が記憶されてもよい。
【００６１】
また、図４に示した例において、商品の配信元サイトに「旅行予約サイトＦＦＦ」が含まれるように、実施形態における商品とは、商材となる有体物に限られるものではなく、旅行商品など、サービスに関する商材等も含む概念である。
【００６２】
（ユーザ情報記憶部１２２について）
ユーザ情報記憶部１２２は、ユーザ端末１０を利用するユーザに関する情報を記憶する。ここで、図５に、実施形態に係るユーザ情報記憶部１２２の一例を示す。図５は、実施形態に係るユーザ情報記憶部１２２の一例を示す図である。図５に示すように、ユーザ情報記憶部１２２は、「ユーザＩＤ」、「属性情報」、「支払い情報」といった項目を有する。また、属性情報は、「性別」、「年齢」、「住所」といった小項目を有する。
【００６３】
「ユーザＩＤ」は、ユーザ又はユーザ端末１０を識別する識別情報である。「属性情報」は、ユーザの属性情報を示す。「性別」は、ユーザの性別を示す。「年齢」は、ユーザの年齢を示す。「住所」は、ユーザの住所を示す。属性情報は、例えば、広告装置１００による広告コンテンツの登録を行うサービスを利用する際に、広告装置１００がユーザから入力を受け付けることにより、ユーザ情報記憶部１２２に記憶される。なお、属性情報は、必ずしも正確な情報ではなく、例えば、広告コンテンツの登録の傾向等から推測される情報であってもよい。
【００６４】
「支払い情報」は、ユーザが購買行動において利用する支払い情報を示す。図５の例では、支払い情報は、「Ｈ１１」等の概念で示しているが、実際には、支払い情報の項目には、オンラインショッピング等で利用可能な電子支払いに関する口座情報や、金融機関の口座情報や、クレジットカードに関する情報等が記憶される。
【００６５】
すなわち、図５では、ユーザＩＤ「Ｕ１１」によって識別されるユーザは、性別が「男性」であり、年齢が「２０歳代」であり、住所が「Ａ県・・・」であるという属性を有し、支払い情報は「Ｈ１１」であることを示している。
【００６６】
ユーザＩＤは、例えば、広告コンテンツの登録時に、広告コンテンツに対応付けられるために利用される。また、属性情報は、例えば、広告コンテンツを配信する際のターゲティング情報として利用される。また、支払い情報は、広告コンテンツを介して商品を購入する際等に利用される。
【００６７】
（登録情報記憶部１２３について）
登録情報記憶部１２３は、広告コンテンツの登録に関する情報を記憶する。ここで、図６に、実施形態に係る登録情報記憶部１２３の一例を示す。図６は、実施形態に係る登録情報記憶部１２３の一例を示す図である。図６に示すように、登録情報記憶部１２３は、「ユーザＩＤ」、「登録済み広告コンテンツＩＤ」、「対応商品ＩＤ」、「サイト識別情報」、「商品情報」といった項目を有する。
【００６８】
「ユーザＩＤ」は、図５に示した同一の項目に対応する。「登録済み広告コンテンツＩＤ」は、ユーザと対応付けられて登録された広告コンテンツの識別情報を示す。「対応商品ＩＤ」及び「サイト識別情報」は、図４に示した同一の項目に対応する。
【００６９】
「商品情報」は、広告コンテンツに紐付けられた商品に関する現時点の情報を示す。図６の例では、商品情報を「ＧＦ１１」などの概念で示しているが、実際には、商品情報の項目には、商品の現時点の価格や、在庫の状態等が記憶される。また、商品情報には、オークションサイトにおける商品の現時点の価格や、オークションへの入札状況や、オークション終了までの時間等が含まれてもよい。
【００７０】
すなわち、図６では、ユーザＩＤ「Ｕ１１」によって識別されるユーザＵ１１が、広告コンテンツＩＤ「Ｃ１１」や「Ｃ１２」や「Ｃ１３」で識別される広告コンテンツを登録している例を示している。また、広告コンテンツＣ１１には対応商品ＩＤ「Ｇ１１」で識別される商品Ｇ１１が紐付けられており、商品Ｇ１１に係るサイト識別情報は「Ｅ１１」であり、商品Ｇ１１に係る商品情報は「ＧＦ１１」であることを示している。
【００７１】
（制御部１３０について）
制御部１３０は、コントローラ（controller）であり、例えば、ＣＰＵ（Central  Processing  Unit）やＭＰＵ（Micro  Processing  Unit）等によって、広告装置１００内部の記憶装置に記憶されている各種プログラム（登録プログラムの一例に相当）がＲＡＭを作業領域として実行されることにより実現される。また、制御部１３０は、コントローラ（controller）であり、例えば、ＡＳＩＣ（Application  Specific  Integrated  Circuit）やＦＰＧＡ（Field  Programmable  Gate  Array）等の集積回路により実現される。
【００７２】
実施形態に係る制御部１３０は、図３に示すように、入稿受付部１３１と、受信部１３２と、配信部１３３と、登録受付部１３４と、登録部１３５と、更新部１３６と、提供部１３７と、送信部１３８とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００７３】
（入稿受付部１３１について）
入稿受付部１３１は、広告主から、広告コンテンツの入稿を受け付ける。具体的には、入稿受付部１３１は、所定の商品が紐づけられている広告コンテンツの入稿を受け付ける。
【００７４】
なお、入稿受付部１３１が受け付ける広告コンテンツには、広告主を識別する識別情報や、商品を識別する識別情報や、商品を商材として取り扱うサイトを識別する識別情報などが含まれてもよい。また、商品を識別する識別情報には、サイトに対して商品を注文する際のアドレス情報等が含まれてもよい。
【００７５】
また、入稿受付部１３１が受け付ける広告コンテンツには、紐付けられた商品について、商品を販売しているサイトにおける現時点での価格など、商品に関する情報が含まれてもよい。そして、入稿受付部１３１は、広告主から入稿された広告コンテンツに関する情報を記憶部１２０に格納する。
【００７６】
（受信部１３２について）
受信部１３２は、各種情報を受信する。例えば、受信部１３２は、ネットワークＮを介して、ユーザ端末１０から広告配信要求を受信する。また、受信部１３２は、広告配信要求を受信する際に、ユーザ端末１０を識別する識別情報を受信する。例えば、受信部１３２は、ユーザ端末１０から送信されるクッキー等に基づいて、ユーザ端末１０の識別情報を受信する。
【００７７】
また、受信部１３２は、ユーザ端末１０の識別情報に基づいて、ユーザ端末１０を利用するユーザのユーザ情報を受信する。なお、受信部１３２は、上述のように、ユーザ端末１０から入力される情報を受信することで、ユーザ情報を受信してもよい。例えば、受信部１３２は、ユーザの属性情報や、ユーザの支払い情報を受信する。
【００７８】
また、受信部１３２は、ユーザのネットワーク上の行動履歴（例えば、ウェブページの閲覧履歴等）を受信してもよい。受信部１３２は、かかる情報について、ユーザ端末１０のみならず、コンテンツ配信サーバ３０等から受信してもよい。
【００７９】
また、受信部１３２は、広告コンテンツに関する情報を受信してもよい。例えば、受信部１３２は、ユーザから広告コンテンツが選択（クリックやタッチなど）された情報や、広告コンテンツを介して購買活動が行われた情報等を受信する。そして、受信部１３２は、受信した情報を記憶部１２０に格納する。
【００８０】
（配信部１３３について）
配信部１３３は、受信部１３２によって受信された広告配信要求に従って、広告コンテンツを配信する。具体的には、配信部１３３は、入稿受付部１３１によって受け付けられた広告コンテンツであって、所定の商品が紐付けられた広告コンテンツをユーザ端末１０に配信する。
【００８１】
（登録受付部１３４について）
登録受付部１３４は、ユーザ端末１０に配信された広告コンテンツであって、所定の商品が紐付けられている広告コンテンツについて、ユーザ端末１０を利用するユーザから登録要求を受け付ける。例えば、登録受付部１３４は、所定の商品の識別情報、及び、所定の商品を商材として取り扱うサイトの識別情報が紐づけられている広告コンテンツについて登録要求を受け付ける。
【００８２】
具体的には、登録受付部１３４は、ユーザ端末１０において、広告コンテンツに付与された登録マークをユーザが選択したことを契機として、ユーザ端末１０から送信される登録要求を受け付ける。
【００８３】
（登録部１３５について）
登録部１３５は、登録受付部１３４によって広告コンテンツの登録要求が受け付けられた場合に、当該広告コンテンツに関する情報と、ユーザとを対応付けて登録する。例えば、登録部１３５は、広告コンテンツに関する情報として、所定の商品の識別情報、及び、所定の商品を商材として取り扱うサイトの識別情報を登録する。
【００８４】
具体的には、登録部１３５は、登録要求を送信したユーザと、広告コンテンツと、広告コンテンツに紐付けられた商品の識別情報と、商品を取り扱うサイトの識別情報と、当該商品に関する商品情報等を対応付けて、登録情報記憶部１２３に登録する。
【００８５】
なお、登録部１３５は、広告コンテンツを登録した場合に、さらに、広告コンテンツに紐付けられた所定の商品を商材として取り扱うサイト側における登録情報として、所定の商品をユーザと対応付けて登録させるようにしてもよい。
【００８６】
すなわち、所定の商品は、所定のショッピングサイト等で販売されているものであり、当該ショッピングサイトにおいても、各商品のブックマーク登録などを受け付けるサービスを提供している場合がある。このような場合、登録部１３５は、広告コンテンツを登録した旨をサイト側に通知する。そして、当該サイトにおいて、広告コンテンツに紐付けられた商品と、登録要求を送信したユーザとを対応付けてブックマーク等に登録させる。なお、登録部１３５は、登録を行うサイトに対して、登録要求を送信したユーザの情報を通知してもよい。
【００８７】
（更新部１３６について）
更新部１３６は、登録部１３５によって登録された広告コンテンツに関する情報を更新する。例えば、更新部１３６は、広告コンテンツに紐付けられた商品を特定するＵＲＬ等が変更された場合に、現時点における最新の情報に更新する。
【００８８】
例えば、更新部１３６は、登録部１３５によって登録された広告コンテンツに関して、広告コンテンツに対応する広告主サーバ２０や、広告コンテンツに紐付けられた商品を管理するサイト側のサーバ等と情報の送受信を行い、広告コンテンツや商品に関する情報が変更された場合に、情報を更新する。例えば、更新部１３６は、互いのサーバで保持するＡＰＩ（Application  Program  Interface）を利用して、情報の更新を行う。
【００８９】
また、更新部１３６は、後述する提供部１３７によって、ユーザにお気に入りリストが提供される際に、リストに含まれる情報を更新するようにしてもよい。例えば、更新部１３６は、リストに含まれる広告コンテンツについて、広告コンテンツの広告主、又は、広告コンテンツに紐付けられた商品を商材として取り扱うサイトに問い合わせることにより、広告コンテンツに関する情報を更新する。これにより、提供部１３７は、常に最新の状態に更新されたお気に入りリストをユーザに提供することができる。
【００９０】
（提供部１３７について）
提供部１３７は、登録部１３５によって登録された広告コンテンツに関する情報について、ユーザごとにリスト化されたリスト（お気に入りリスト）をユーザに提供する。具体的には、提供部１３７は、お気に入りリストとして、お気に入りリストを介して所定の商品への購買活動をユーザに行わせること、又は、お気に入りリストを介して所定の商品を商材として取り扱うサイトへユーザにアクセスさせることが可能なリストを提供する。
【００９１】
この点について、図７を用いて説明する。図７は、実施形態に係る提供処理の一例を説明する図である。図７の例では、ユーザ端末１０において、お気に入りリストに表示された広告コンテンツＣ１１を選択して、広告コンテンツＣ１１の詳細情報を表示させた状態を示す。例えば、ユーザは、図１の第３状態のように、広告コンテンツＣ１１〜Ｃ１３がリストとして表示されている状態において、広告コンテンツＣ１１をタッチすることで、広告コンテンツＣ１１の詳細を表示する画面（図７で示す画面）に表示を遷移させる。
【００９２】
図７に示すように、広告コンテンツＣ１１の詳細画面には、商品情報５５や、購入ボタン６０や、リンク６５が表示される。例えば、ユーザは、商品情報５５に表示された情報を参照することで、広告コンテンツＣ１１に紐付けられた商品Ｇ１１の現時点での情報を取得することができる。
【００９３】
また、ユーザは、購入ボタン６０をタッチすることで、商品Ｇ１１を取り扱うサイトに移動することなく、商品Ｇ１１の注文を行うことができる。この場合、広告装置１００は、ユーザの識別情報や、ユーザの支払い情報を、商品Ｇ１１を取り扱うサイト側のサーバに送信する。
【００９４】
また、ユーザは、リンク６５をタッチすることで、商品Ｇ１１を取り扱うサイトに移動することができる。これにより、ユーザは、移動先のサイトにおいて、商品Ｇ１１について、より詳細な情報を取得することができる。
【００９５】
なお、図７では、説明のため、ユーザ端末１０が、広告コンテンツＣ１１だけの詳細情報を表示する例を示した。しかし、ユーザ端末１０は、１つの画面で、複数の広告コンテンツの詳細な情報を表示したり、購入を受け付けるボタンを表示したりしてもよい。
【００９６】
（送信部１３８について）
送信部１３８は、各種情報を送信する。例えば、送信部１３８は、登録部１３５によって広告コンテンツが登録された場合に、広告コンテンツの広告主に対して、広告コンテンツの登録に関する情報を送信する。
【００９７】
具体的には、送信部１３８は、登録部１３５によって広告コンテンツが登録された場合に、広告コンテンツの広告主、又は、所定の商品を商材として取り扱うサイトに対して、当該広告コンテンツと対応付けられて登録されたユーザに関する情報を送信する。これにより、広告主やサイト側は、広告コンテンツや広告コンテンツに紐付けられた商品に興味を抱いたユーザを特定できるため、さらなる宣伝活動を行うことができる。
【００９８】
また、送信部１３８は、登録部１３５によって広告コンテンツが登録された場合に、広告コンテンツの広告主に対して、広告コンテンツを掲載した媒体側への報酬の支払い要求を送信するようにしてもよい。
【００９９】
上述のように、広告コンテンツは、登録部１３５に登録され、お気に入りリストとしてユーザに利用されることで、より高い広告効果を発揮することが想定される。このため、広告主側は、広告コンテンツが登録された場合に、広告コンテンツを掲載した媒体（図１の例でいえば、ウェブページＷ１０の提供者）に報酬を支払う。例えば、送信部１３８は、登録部１３５によって広告コンテンツが登録された数（ブックマーク数）に基づいて、広告主に対して要求する報酬の支払額を算定する。そして、送信部１３８は、算定した支払額を広告主サーバ２０に送信する。
【０１００】
なお、送信部１３８は、登録部１３５によって登録された広告コンテンツの広告効果に基づいて、広告コンテンツの広告主に対して、広告コンテンツを掲載した媒体側への報酬の支払い要求を送信するようにしてもよい。
【０１０１】
上述のように、登録された広告コンテンツに対して、ユーザは、広告コンテンツに紐付けられた商品を注文するなどの購買活動を行うことができる。このため、送信部１３８は、広告コンテンツがもたらした何らかの成果（コンバージョン）に基づいて、支払額を算定するようにしてもよい。また、送信部１３８は、例えば、登録後の広告コンテンツがお気に入りリストとしてユーザ端末１０に表示されたインプレッション数や、詳細情報を表示させた選択数（ユーザのタッチ数やクリック数）などの広告効果に基づいて、広告主から媒体への支払額を算定してもよい。
【０１０２】
〔４．コンテンツ配信サーバの構成〕
次に、図８を用いて、実施形態に係るコンテンツ配信サーバ３０の構成について説明する。図８は、実施形態に係るコンテンツ配信サーバ３０の構成例を示す図である。図８に示すように、コンテンツ配信サーバ３０は、通信部３１と、コンテンツ記憶部３２と、制御部３３とを有する。
【０１０３】
通信部３１は、例えば、ＮＩＣ等によって実現される。そして、通信部３１は、ネットワークＮと有線または無線で接続され、ユーザ端末１０や広告主サーバ２０や広告装置１００との間で、情報の送受信を行う。
【０１０４】
コンテンツ記憶部３２は、例えば、ＲＡＭ、フラッシュメモリ等の半導体メモリ素子、または、ハードディスク、光ディスク等の記憶装置によって実現される。そして、コンテンツ記憶部３２は、コンテンツの一例であるウェブページを記憶する。例えば、コンテンツ記憶部３２は、ウェブページを形成するＨＴＭＬファイルや、ウェブページに表示される静止画像や動画像を記憶する。なお、コンテンツ記憶部３２に記憶されるウェブページには、ウェブページ上に表示させる広告コンテンツを取得するための広告取得命令が含まれる場合がある。
【０１０５】
制御部３３は、コントローラであり、例えば、ＣＰＵやＭＰＵ等によって、コンテンツ配信サーバ３０内部の記憶装置に記憶されている各種プログラムがＲＡＭを作業領域として実行されることにより実現される。また、制御部３３は、コントローラであり、例えば、ＡＳＩＣやＦＰＧＡ等の集積回路により実現される。
【０１０６】
図８に示すように、制御部３３は、受付部３４と、配信部３５とを有し、以下に説明する情報処理の機能や作用を実現または実行する。なお、制御部３３の内部構成は、図８に示した構成に限られず、後述する情報処理を行う構成であれば他の構成であってもよい。また、制御部３３が有する各処理部の接続関係は、図８に示した接続関係に限られず、他の接続関係であってもよい。
【０１０７】
受付部３４は、ユーザ端末１０からウェブページの取得要求を受け付ける。例えば、受付部３４は、ウェブページの取得要求として、ＨＴＴＰリクエストを受け付ける。
【０１０８】
配信部３５は、受付部３４によってウェブページの取得要求が受け付けられた場合に、ウェブページをユーザ端末１０に配信する。具体的には、配信部３５は、コンテンツ記憶部３２から取得要求対象のウェブページを取得し、取得したウェブページをユーザ端末１０に配信する。上記の通り、コンテンツ記憶部３２に記憶されているウェブページは、広告取得命令を含む。すなわち、ユーザ端末１０は、取得したウェブページを表示する際に、ウェブページに含まれる広告取得命令に従い、広告装置１００に対して広告コンテンツの配信要求を送信する。
【０１０９】
〔５．ユーザ端末の構成〕
次に、図９を用いて、実施形態に係るユーザ端末１０の構成について説明する。図９は、実施形態に係るユーザ端末１０の構成例を示す図である。図９に示すように、ユーザ端末１０は、通信部１１と、入力部１２と、出力部１３と、制御部１４とを有する。
【０１１０】
通信部１１は、例えば、ＮＩＣ等によって実現される。そして、通信部１１は、ネットワークＮと有線又は無線で接続され、広告主サーバ２０やコンテンツ配信サーバ３０や広告装置１００との間で、情報の送受信を行う。
【０１１１】
入力部１２は、ユーザから各種操作を受け付ける入力装置である。例えば、入力部１２は、キーボードやマウスや操作キー等によって実現される。出力部１３は、各種情報を表示するための表示装置である。例えば、出力部１３は、液晶ディスプレイ等によって実現される。なお、ユーザ端末１０にタッチパネルが採用される場合には、入力部１２と出力部１３とは一体化される。なお、図１の例では、出力部１３と、ユーザ端末１０におけるウェブページの表示領域が同一である例を示したが、実際には、ウェブページは出力部１３の全面に表示されるとは限らない。すなわち、ウェブページ等のコンテンツは、出力部１３内に表示されるウェブブラウザソフトウェアのウインドウ内に表示される場合がありうる。この場合、ウェブページを表示する際のユーザ端末１０における表示領域とは、ウェブブラウザソフトウェアのウインドウを意味する。
【０１１２】
制御部１４は、コントローラであり、例えば、ＣＰＵやＭＰＵ等によって、ユーザ端末１０内部の記憶装置に記憶されている各種プログラム（要求プログラムの一例に相当）がＲＡＭを作業領域として実行されることにより実現される。また、制御部１４は、コントローラであり、例えば、ＡＳＩＣやＦＰＧＡ等の集積回路により実現される。
【０１１３】
図９に示すように、制御部１４は、送信部１４１と、受付部１４２と、表示制御部１４３と、検知部１４４と、要求部１４５とを有し、以下に説明する情報処理の機能や作用を実現または実行する。なお、制御部１４の内部構成は、図９に示した構成に限られず、後述する情報処理を行う構成であれば他の構成であってもよい。また、制御部１４が有する各処理部の接続関係は、図９に示した接続関係に限られず、他の接続関係であってもよい。
【０１１４】
送信部１４１は、入力部１２を介して受け付けたユーザ操作に従って、コンテンツ配信サーバ３０にウェブページの取得要求を送信する。また、送信部１４１は、受付部１４２によって受け付けられたウェブページに広告取得命令が含まれる場合に、広告コンテンツの取得要求を広告装置１００に送信する。
【０１１５】
受付部１４２は、各種情報を受け付ける。例えば、受付部１４２は、ウェブページや広告コンテンツを受け付ける。具体的には、受付部１４２は、送信部１４１によって送信されたウェブページの取得要求に応答したコンテンツ配信サーバ３０から、ウェブページを受け付ける。このとき、受付部１４２は、ウェブページに広告取得命令が含まれる場合には、広告コンテンツの取得要求を送信するよう送信部１４１に指示する。そして、受付部１４２は、送信部１４１によって送信された広告コンテンツの取得要求に応答した広告装置１００から広告コンテンツを受け付ける。
【０１１６】
このとき、受付部１４２は、広告コンテンツとともに、商品が紐付けられた広告コンテンツの表示処理や登録処理等を制御する制御情報を受け付けてもよい。そして、後述する表示制御部１４３や、検知部１４４や、要求部１４５が実行する一部の処理は、広告コンテンツとともに配信される制御情報を実行することにより実現されてもよい。すなわち、表示制御部１４３が実行する処理は、広告コンテンツに含まれる制御情報が実行させる表示制御手順により実現され、検知部１４４が実行する処理は、広告コンテンツに含まれる制御情報が実行させる検知手順により実現され、要求部１４５が実行する処理は、広告コンテンツに含まれる制御情報が実行させる要求手順により実現されてもよい。
【０１１７】
表示制御部１４３は、受信したウェブページの出力部１３への表示を制御する。また、表示制御部１４３は、ユーザ端末１０に配信された広告コンテンツであって、所定の商品が紐づけられている広告コンテンツをユーザ端末１０の画面上（出力部１３）に表示するよう制御する。また、表示制御部１４３は、広告コンテンツとともに登録マークを出力部１３に表示させる処理を制御する。また、表示制御部１４３は、広告装置１００から送信されるお気に入りリストを出力部１３に表示させる処理を制御する。
【０１１８】
検知部１４４は、ユーザ端末１０に対する所定の操作を検知する。具体的には、実施形態に係る検知部１４４は、出力部１３に表示中の広告コンテンツを選択する操作を検知する。検知部１４４は、広告コンテンツを選択する操作として、広告コンテンツをタッチする操作や、広告コンテンツをクリックする操作を検知する。
【０１１９】
また、検知部１４４は、表示制御部１４３によって表示された広告コンテンツに対して、ユーザ端末１０を利用するユーザから該広告コンテンツの登録を要求するための操作が行われたことを検知する。具体的には、検知部１４４は、広告コンテンツとともに表示される登録マークに対するユーザの操作を検知する。
【０１２０】
また、検知部１４４は、表示制御部１４３によって表示されたお気に入りリストにおいて、商品の注文やリンクの選択などのユーザの操作を検知する。そして、検知部１４４は、かかる選択操作が検知されたことを示す情報を要求部１４５に送る。
【０１２１】
要求部１４５は、ユーザの操作に従って、各種情報を要求する。例えば、要求部１４５は、検知部１４４によって広告コンテンツの登録を要求するための操作が行われたと検知された場合に、広告コンテンツの登録要求を広告装置１００に送信する。具体的には、要求部１４５は、検知部１４４によって登録マークを選択する操作が検知された場合に、広告装置１００に対して、広告コンテンツの登録要求を送信する。
【０１２２】
また、要求部１４５は、お気に入りリストの閲覧や、お気に入りリストにおける商品の注文やリンクの選択などのユーザの操作が検知された場合には、広告装置１００や、広告主サーバ２０や、コンテンツ配信サーバ３０や、サイト側のサーバ等に、適宜、ユーザ操作に対応した処理の要求を送信する。
【０１２３】
〔６．登録システムの処理フロー〕
次に、図１０及び図１１を用いて、実施形態に係る登録システム１による処理の手順について説明する。まず、図１０を用いて、実施形態に係る登録システム１による登録処理の手順について説明する。図１０は、実施形態に係る登録システム１による処理手順を示すシーケンス図（１）である。
【０１２４】
図１０に示すように、広告装置１００は、広告主サーバ２０から、商品が紐付けられた広告コンテンツの入稿を受け付ける（ステップＳ１０１）。また、ユーザ端末１０は、ユーザの操作に従って、ウェブページの取得要求をコンテンツ配信サーバ３０に送信する（ステップＳ１０２）。
【０１２５】
コンテンツ配信サーバ３０は、ウェブページの取得要求に応じて、ウェブページをユーザ端末１０に配信する（ステップＳ１０３）。なお、コンテンツ配信サーバ３０によって配信されるウェブページには、広告装置１００のＵＲＬ等である広告取得命令が含まれる。
【０１２６】
続いて、ユーザ端末１０は、ウェブページに含まれる広告取得命令に基づいて、広告コンテンツの取得要求を広告装置１００に送信する（ステップＳ１０４）。広告装置１００は、広告コンテンツの取得要求に応じて、広告コンテンツをユーザ端末１０に配信する（ステップＳ１０５）。
【０１２７】
そして、ユーザ端末１０は、広告コンテンツに対応する登録マークへの操作を検知した場合に、広告コンテンツの登録要求を広告装置１００に送信する（ステップＳ１０６）。広告装置１００は、登録を要求したユーザに対応付けて、広告コンテンツを登録する（ステップＳ１０７）。
【０１２８】
続いて、図１１を用いて、実施形態に係る登録システム１による提供処理の手順について説明する。図１１は、実施形態に係る登録システム１による処理手順を示すシーケンス図（２）である。
【０１２９】
ユーザ端末１０は、ユーザの操作に従って、お気に入りリストの閲覧を広告装置１００に要求する（ステップＳ２０１）。すると、広告装置１００は、お気に入りリストに含まれる広告コンテンツについて、商品情報の更新の確認を、各広告コンテンツに対応する広告主サーバ２０に行う（ステップＳ２０２）。
【０１３０】
広告主サーバ２０は、広告コンテンツに紐付けられた商品に関する情報について、最新の情報を広告装置１００に送信する（ステップＳ２０３）。広告装置１００は、広告主サーバ２０から送信された情報に基づいて、お気に入りリストに関する情報を更新する（ステップＳ２０４）。
【０１３１】
そして、広告装置１００は、更新した情報を含むお気に入りリストをユーザ端末１０に送信する（ステップＳ２０５）。ユーザ端末１０は、広告装置１００から送信されたお気に入りリストの表示処理を行う（ステップＳ２０６）。
【０１３２】
〔７．変形例〕
上述した実施形態に係る処理は、上記実施形態以外にも種々の異なる形態にて実施されてよい。以下では、登録システム１の他の実施形態（変形例）について説明する。
【０１３３】
〔７−１．お気に入りリストに基づく広告配信〕
広告装置１００は、広告コンテンツの配信にあたり、ユーザのお気に入りリストを参照してもよい。お気に入りリストには、ユーザの興味関心に沿った広告コンテンツが蓄積されていることが想定される。そこで、広告装置１００は、お気に入りリストに登録された広告コンテンツと同じカテゴリ商品を扱った広告コンテンツや、同じ広告主から入稿された広告コンテンツについて、優先的にユーザ端末１０に配信するようにしてもよい。すなわち、広告装置１００は、お気に入りリストに含まれる広告コンテンツに基づいて、お気に入りリストに対応するユーザに対して新たに配信する広告コンテンツを決定してもよい。
【０１３４】
なお、広告装置１００は、お気に入りリストに含まれる広告コンテンツに基づいて、リストに対応するユーザに対して、お気に入りリストに含まれる広告コンテンツ以外の広告コンテンツを配信するようにしてもよい。すなわち、広告装置１００は、ユーザに新たに配信する広告コンテンツとして、ユーザに対応するお気に入りリストに含まれる広告コンテンツ以外の広告コンテンツを決定する。
【０１３５】
お気に入りリストに登録済みの広告コンテンツについては、ユーザは、新たに配信を受ける必要がないことが想定される。このため、広告装置１００は、ユーザのお気に入りリストを参照し、お気に入りリストに含まれる広告コンテンツについては、配信対象から除く。これにより、広告装置１００は、ユーザ端末１０で表示される広告コンテンツの枠を節約することができ、その分、新たな広告コンテンツを配信することができるため、ユーザの購買活動の範囲を拡張させることができる。
【０１３６】
〔７−２．コンテンツの種類〕
上記実施形態では、広告コンテンツがウェブページに含まれる表示枠に表示される例を示したが、広告コンテンツが表示されるのはウェブページに限られない。例えば、上記してきた広告コンテンツは、携帯電話ゲーム等やアプリ画面に表示されてもよい。また、ユーザ端末１０は、広告コンテンツ以外にも、任意のコンテンツについて、上述した処理を実行してもよい。
【０１３７】
〔７−３．広告に係るコンテンツ〕
上記実施形態で説明した広告コンテンツは、営利若しくは非営利の広告だけではなく、ボランティアの募集、公共広告、公共に対する通知、広告コンテンツに係る情報の一部、その他任意のコンテンツであってもよい。すなわち、広告コンテンツは、いわゆる広告関連の情報を含むコンテンツのみならず、ユーザに興味を抱かせ、広告コンテンツに含まれる情報、すなわち、広告コンテンツに紐付けられた商品を広く宣伝するものであれば、画像、動画像、文字、図形、記号、ハイパーリンク、その他任意のコンテンツを適用可能である。すなわち、ユーザに対して興味を生じさせようとするコンテンツであれば、任意のコンテンツを広告コンテンツとして適用可能である。
【０１３８】
〔７−４．通知〕
上記実施形態で説明したように、広告装置１００は、広告コンテンツを登録した場合に、当該広告コンテンツの広告主に通知を行う。例えば、広告装置１００は、所定の広告コンテンツが登録された数などを広告主に通知する。これにより、広告主は、広告コンテンツや広告コンテンツに紐付けられた商品の人気度や、広告効果を把握することができる。
【０１３９】
そして、広告主は、通知された情報に基づいて、さらに宣伝活動を行ってもよい。例えば、広告主は、広告コンテンツの登録を要求したユーザ端末１０に対して、プッシュ通知や、メール配信などを行ってもよい。また、かかる宣伝活動は、広告主に代わり、広告装置１００が行ってもよい。
【０１４０】
〔７−５．リストの更新〕
例えば、広告装置１００は、ユーザの操作によらず、お気に入りリストに所定の更新処理を行ってもよい。例えば、広告装置１００は、広告コンテンツに紐付けられた商品がユーザから購入された場合には、当該広告コンテンツをお気に入りリストから削除するなどの処理を行ってもよい。また、広告装置１００は、例えば商品の在庫が切れた広告コンテンツについて、お気に入りリストから削除するなどの処理を行ってもよい。
【０１４１】
〔７−６．媒体への報酬〕
上記実施形態では、例えば、広告コンテンツのコンバージョンによって、広告主から媒体側へ報酬が支払われる例を示した。広告装置１００は、コンバージョン以外にも、広告ごとのＣＴＲ（Click  Through  Rate）や、ｅＣＰＭ（effective  Cost  Per  Mill）など、広告効果を示す指標値に基づいて、広告主から媒体側へ報酬が支払われるような処理を行ってもよい。
【０１４２】
〔７−７．表示処理〕
上記実施形態で説明した登録処理は、任意の手法で実現可能である。例えば、ユーザ端末１０は、登録処理に関する機能を、ウェブページが表示されているウェブブラウザソフトウェアによって実現してもよい。また、ユーザ端末１０は、ウェブページの表示と、上述した登録処理とをユーザ端末１０に実行させるアプリケーションをあらかじめダウンロードし、任意のタイミングでアプリケーションを実行することで、上述した処理を実現してもよい。
【０１４３】
〔７−８．操作の受け付け〕
また、ユーザ端末１０がタッチパネル以外を採用する場合には、上記の操作に対応した入力デバイスによる操作であってもよい。例えば、指５０によるタッチ操作は、入力デバイスの一例であるマウスのクリック操作に対応する。また、指５０によるタッチ操作を受け付ける入力デバイスとして、トラックパッド等を用いてもよい。
【０１４４】
〔７−９．ユーザ端末の操作記録〕
また、上述してきたユーザ端末１０は、実施形態に係る広告コンテンツが表示されているウェブページに対して、ユーザがどれだけユーザ端末１０を操作したかという記録を広告装置１００に送信してもよい。具体的には、検知部１４４は、広告コンテンツが表示されているウェブページに対してユーザが行うタッチ操作やスクロール操作などのログを記録する。さらに、検知部１４４は、広告コンテンツに対するタッチ操作や、広告コンテンツをお気に入りリストに表示させた回数や、表示させた時間など、ユーザがユーザ端末１０に対して行う種々の操作を記録することもできる。そして、通信部１１０は、検知部１４４により記録された操作履歴に関する情報を広告装置１００に送信する。
【０１４５】
そして、広告装置１００は、ユーザ端末１０から配信されたユーザ端末１０の操作履歴に関する情報を受信する。また、広告装置１００は、受信したユーザ端末１０の操作履歴に関する情報を集計し、かかる情報について分析した情報をさらに取得してもよい。例えば、広告装置１００は、お気に入りリストに登録した広告コンテンツに対してユーザが操作を行う頻度が高いほど、広告コンテンツが広告効果を発揮したと推定することができる。
【０１４６】
〔７−１０．装置構成〕
また、上記実施形態では、登録システム１に、コンテンツ配信サーバ３０と広告装置１００とが含まれる例を示したが、コンテンツ配信サーバ３０と広告装置１００とは１個の装置として形成されてもよい。この場合、広告装置１００は、例えば、図８に示したコンテンツ記憶部３２を有する。そして、広告装置１００は、ユーザ端末１０からウェブページの取得要求を受け付けた場合に、広告情報記憶部１２１に記憶された広告コンテンツとともに、広告取得命令を含まないウェブページをユーザ端末１０に配信する。
【０１４７】
また、上記実施形態では、広告装置１００からユーザ端末１０に広告コンテンツが配信される例を示したが、コンテンツ配信サーバ３０が、広告装置１００から広告コンテンツを取得してもよい。この場合、広告装置１００は、コンテンツ配信サーバ３０から広告コンテンツの取得要求を受け付ける。また、広告装置１００は、コンテンツ配信サーバ３０に広告コンテンツを配信する。また、コンテンツ配信サーバ３０の配信部３５は、広告装置１００から取得した広告コンテンツとともに、広告取得命令を含まないウェブページをユーザ端末１０に配信する。
【０１４８】
〔８．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図３に示した更新部１３６及び提供部１３７は統合されてもよい。
【０１５０】
また、上述してきた各実施形態は、処理内容を矛盾させない範囲で適宜組み合わせることが可能である。
【０１５１】
〔９．ハードウェア構成〕
また、上記してきた実施形態に係る広告装置１００、ユーザ端末１０、広告主サーバ２０およびコンテンツ配信サーバ３０は、例えば、図１２に示すような構成のコンピュータ１０００によって実現される。以下、広告装置１００を例に挙げて説明する。図１２は、本願に係る登録装置に対応する広告装置１００の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１５２】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１５３】
ＨＤＤ１４００は、ＣＰＵ１１００によって実行されるプログラム、および、係るプログラムによって使用されるデータ等を格納する。通信インターフェイス１５００は、通信網５００（図２のネットワークＮに対応）を介して他の機器からデータを受信してＣＰＵ１１００へ送り、ＣＰＵ１１００が生成したデータを他の機器へ送信する。
【０１５４】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して、生成したデータを出力装置へ出力する。
【０１５５】
メディアインターフェイス１７００は、記録媒体１８００に格納されたプログラムまたはデータを読み取り、ＲＡＭ１２００を介してＣＰＵ１１００に提供する。ＣＰＵ１１００は、係るプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５６】
例えば、コンピュータ１０００が実施形態に係る広告装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータ、例えば広告情報記憶部１２１が格納される。コンピュータ１０００のＣＰＵ１１００は、これらのプログラムを記録媒体１８００から読み取って実行するが、他の例として、他の装置からこれらのプログラムを取得してもよい。
【０１５７】
〔１０．効果〕
上述してきたように、実施形態に係る広告装置１００は、登録受付部１３４（受付部の一例）と、登録部１３５とを有する。登録受付部１３４は、ユーザ端末１０に配信された広告コンテンツであって、所定の商品が紐づけられている広告コンテンツについて、ユーザ端末１０を利用するユーザから登録要求を受け付ける。登録部１３５は、登録受付部１３４によって広告コンテンツの登録要求が受け付けられた場合に、広告コンテンツに関する情報と、ユーザとを対応付けて登録する。
【０１５８】
このように、実施形態に係る広告装置１００は、ユーザ端末１０に配信される広告コンテンツについて登録を受け付ける。ユーザ端末１０を利用するユーザは、日々、様々な広告コンテンツに触れるものの、広告コンテンツが宣伝するサイトを訪問したり、当該サイトで購買活動を行ったりする行動までには至らない場合も多い。これに対して、広告装置１００は、広告コンテンツそのものの登録を受け付けることができるため、広告コンテンツに係るサイトの種別に関わらず、ユーザの興味関心に即してユーザが欲する商品の情報の登録を受け付けることができる。これにより、広告装置１００は、ユーザの購買活動の範囲を拡張させることができる。
【０１５９】
また、登録受付部１３４は、所定の商品の識別情報、及び、所定の商品を商材として取り扱うサイトの識別情報が紐づけられている広告コンテンツについて登録要求を受け付ける。登録部１３５は、広告コンテンツに関する情報として、所定の商品の識別情報、及び、所定の商品を商材として取り扱うサイトの識別情報を登録する。
【０１６０】
このように、実施形態に係る広告装置１００は、広告コンテンツに紐付けられた商品についての識別情報等を登録することができる。これにより、広告装置１００は、ユーザが興味を抱いた商品に関する情報を的確にユーザに伝達することができる。このため、広告装置１００によれば、ユーザの購買活動を促進させる効果が期待できる。また、広告装置１００によれば、ユーザは、様々なウェブサイト（例えば、ショッピングサイト等のｅコマースサイト）で扱われている商品を、ウェブサイトごとに訪問したり、ウェブサイトごとに異なる手順を用いたりすることなく、容易に登録することができる。すなわち、広告装置１００は、ユーザの利便性を向上させる。
【０１６１】
また、登録部１３５は、広告コンテンツを登録した場合に、さらに、広告コンテンツに紐付けられた所定の商品を商材として取り扱うサイト側における登録情報として、所定の商品をユーザと対応付けて登録させる。
【０１６２】
このように、実施形態に係る広告装置１００は、広告コンテンツを登録するのみならず、広告コンテンツに紐付けられた商品とユーザとを、商品を販売するサイト等でも登録させることができる。すなわち、商品を販売するサイト側でも、ユーザが商品を登録（例えば、ブックマークやお気に入り登録）したものとして取り扱うことができる。このように、広告装置１００は、実際に商品を販売するサイト側とも連動した処理を行うことにより、ユーザの購買活動を促進させることや、サイト側に有用な情報（例えば、ユーザが興味を抱いた商品に関する情報）を提供することが可能となる。
【０１６３】
また、実施形態に係る広告装置１００は、登録部１３５によって広告コンテンツが登録された場合に、広告コンテンツの広告主に対して、広告コンテンツの登録に関する情報を送信する送信部１３８をさらに有する。
【０１６４】
このように、実施形態に係る広告装置１００は、広告コンテンツを登録した場合に、その旨を広告主に通知する。例えば、広告装置１００は、所定の広告コンテンツが登録された数などを広告主に通知する。これにより、広告主は、広告コンテンツや広告コンテンツに紐付けられた商品の人気度や、広告効果を把握することができる。
【０１６５】
また、送信部１３８は、登録部１３５によって広告コンテンツが登録された場合に、広告コンテンツの広告主、又は、所定の商品を商材として取り扱うサイトに対して、広告コンテンツと対応付けられて登録されたユーザに関する情報を送信する。
【０１６６】
このように、実施形態に係る広告装置１００は、広告コンテンツが登録された場合にユーザ情報を提供する。これにより、広告主やサイト側は、ユーザを特定し、例えば、新たな宣伝活動を行うことができる。また、例えば、登録された広告コンテンツから商品をユーザが購入する際などに、サイト側はユーザの支払い情報を参照できるため、注文処理や決済処理を迅速かつ効率的に行うことができる。
【０１６７】
また、送信部１３８は、登録部１３５によって広告コンテンツが登録された場合に、広告コンテンツの広告主に対して、広告コンテンツを掲載した媒体側への報酬の支払額を算定する。
【０１６８】
このように、実施形態に係る広告装置１００は、広告主に対して、登録に関する報酬についての算定を行ってもよい。これにより、広告コンテンツを掲載する媒体側は、広告コンテンツの掲載に加えて、登録によるマネタイズを行うことができる。これにより、広告装置１００は、経済活動を促進させることができる。
【０１６９】
また、送信部１３８は、登録部１３５によって登録された広告コンテンツの広告効果に基づいて、広告コンテンツの広告主に対して、広告コンテンツを掲載した媒体側への報酬の支払額を算定する。
【０１７０】
このように、実施形態に係る広告装置１００は、広告効果に応じて、報酬の支払額を算定してもよい。例えば、広告装置１００は、広告コンテンツのコンバージョンに応じた支払額を算定してもよい。これにより、広告装置１００は、媒体側、広告主側の双方にとって不満のないマネタイズを行うことができる。
【０１７１】
また、実施形態に係る広告装置１００は、登録部１３５によって登録された広告コンテンツに関する情報について、ユーザごとにリスト化されたリスト（お気に入りリスト）をユーザに提供する提供部１３７をさらに有する。
【０１７２】
このように、実施形態に係る広告装置１００は、ユーザにお気に入りリストを提供することで、通常であれば、配信の時点における一回のインプレッションしか発生しない広告コンテンツを、何度もユーザの目に触れさせることができる。これにより、広告装置１００は、広告コンテンツの広告効果を向上させる。また、広告装置１００は、広告コンテンツをリスト化することで、異なるｅコマースサイトで扱われている商品を同一のリストで統合的にユーザに閲覧させることができる。これにより、広告装置１００は、ユーザの利便性を向上させることができる。
【０１７３】
また、実施形態に係る広告装置１００は、お気に入りリストに含まれる広告コンテンツについて、広告コンテンツの広告主、又は、広告コンテンツに紐付けられた商品を商材として取り扱うサイトに問い合わせることにより、広告コンテンツに関する情報を更新する更新部１３６をさらに有する。
【０１７４】
このように、実施形態に係る広告装置１００は、広告コンテンツの最新の情報を取得し、ユーザに提供することができる。これにより、広告装置１００は、お気に入りリストを介して購買活動を行うユーザの利便性を向上させることができる。
【０１７５】
また、提供部１３７は、お気に入りリストとして、お気に入りリストを介して所定の商品への購買活動をユーザに行わせること、又は、お気に入りリストを介して所定の商品を商材として取り扱うサイトへユーザにアクセスさせることが可能なお気に入りリストを提供する。
【０１７６】
このように、実施形態に係る広告装置１００は、お気に入りリストから直接商品を購入したり、販売サイトへアクセスしたりするなど、種々の購買行動をユーザに行わせることができる。すなわち、広告装置１００は、ユーザがわざわざサイトを訪問しなくても商品が買えるなどの購買機会を増大させることができるため、ユーザの購買活動を促進させることができる。
【０１７７】
また、実施形態に係る広告装置１００は、広告コンテンツを配信する配信部１３３をさらに有する。配信部１３３は、お気に入りリストに含まれる広告コンテンツに基づいて、お気に入りリストに対応するユーザに対して新たに配信する広告コンテンツを決定する。
【０１７８】
このように、実施形態に係る広告装置１００は、お気に入りリストに基づいて、配信する広告コンテンツを決定するなど、いわゆるターゲティング広告配信を行ってもよい。お気に入りリストは、ユーザの興味関心を反映しているため、お気に入りリストに登録された広告コンテンツに基づいて広告コンテンツを決定することで、広告装置１００は、訴求効果の高い広告コンテンツの配信を行うことができる。
【０１７９】
また、配信部１３３は、ユーザに新たに配信する広告コンテンツとして、ユーザに対応するお気に入りリストに含まれる広告コンテンツ以外の広告コンテンツを決定する。
【０１８０】
このように、実施形態に係る広告装置１００は、既に登録されている広告コンテンツのような、効果を新たに発揮させにくいと想定される広告コンテンツのインプレッションを抑制することができる。これにより、広告装置１００は、ユーザを様々な広告コンテンツに触れさせる機会を増大させることができるため、ユーザの購買活動の範囲を拡張させることができる。
【０１８１】
以上、本願の実施形態を図面に基づいて詳細に説明したが、これは例示であり、発明の開示の欄に記載の態様を始めとして、当業者の知識に基づいて種々の変形、改良を施した他の形態で本発明を実施することが可能である。
【０１８２】
また、上述してきた「部（section、module、unit）」は、「手段」や「回路」などに読み替えることができる。例えば、配信部は、配信手段や配信回路に読み替えることができる。
【符号の説明】
【０１８３】
１  登録システム
１０  ユーザ端末
２０  広告主サーバ
３０  コンテンツ配信サーバ
１００  広告装置
１１０  通信部
１２０  記憶部
１２１  広告情報記憶部
１２２  ユーザ情報記憶部
１２３  登録情報記憶部
１３０  制御部
１３１  入稿受付部
１３２  受信部
１３３  配信部
１３４  登録受付部
１３５  登録部
１３６  更新部
１３７  提供部
１３８  送信部
【図１】
2017167998.tif 000003
【図２】
2017167998.tif 000004
【図３】
2017167998.tif 000005
【図４】
2017167998.tif 000006
【図５】
2017167998.tif 000007
【図６】
2017167998.tif 000008
【図７】
2017167998.tif 000009
【図８】
2017167998.tif 000010
【図９】
2017167998.tif 000011
【図１０】
2017167998.tif 000012
【図１１】
2017167998.tif 000013
【図１２】
2017167998.tif 000014
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
所定の媒体の広告表示領域に表示される広告コンテンツであって、当該所定の媒体であるコンテンツを配信した配信元とは異なる配信元から端末装置に配信された広告コンテンツであり、所定の商品が紐づけられている広告コンテンツについて、当該端末装置を利用するユーザから登録要求を受け付ける受付部と、
前記受付部によって広告コンテンツの登録要求が受け付けられた場合に、当該広告コンテンツに関する情報と、前記ユーザとを対応付けて登録する登録部と、
を備えることを特徴とする登録装置。
【請求項２】
前記受付部は、
当該所定の商品の識別情報、及び、当該所定の商品を商材として取り扱うサイトの識別情報が紐づけられている広告コンテンツについて登録要求を受け付け、
前記登録部は、
前記広告コンテンツに関する情報として、前記所定の商品の識別情報、及び、当該所定の商品を商材として取り扱うサイトの識別情報を登録する、
ことを特徴とする請求項１に記載の登録装置。
【請求項３】
前記登録部は、
前記広告コンテンツを登録した場合に、さらに、当該広告コンテンツに紐付けられた所定の商品を商材として取り扱うサイト側における登録情報として、当該所定の商品を前記ユーザと対応付けて登録させる、
ことを特徴とする請求項２に記載の登録装置。
【請求項４】
前記登録部によって前記広告コンテンツが登録された場合に、当該広告コンテンツの広告主に対して、当該広告コンテンツの登録に関する情報を送信する送信部、
をさらに備えることを特徴とする請求項１〜３のいずれか一つに記載の登録装置。
【請求項５】
前記送信部は、
前記登録部によって前記広告コンテンツが登録された場合に、当該広告コンテンツの広告主、又は、当該所定の商品を商材として取り扱うサイトに対して、当該広告コンテンツと対応付けられて登録されたユーザに関する情報を送信する、
ことを特徴とする請求項４に記載の登録装置。
【請求項６】
前記送信部は、
前記登録部によって前記広告コンテンツが登録された場合に、当該広告コンテンツの広告主に対して、当該広告コンテンツを掲載した媒体側への報酬の支払額を算定する、
ことを特徴とする請求項４又は５に記載の登録装置。
【請求項７】
前記送信部は、
前記登録部によって登録された前記広告コンテンツの広告効果に基づいて、当該広告コンテンツの広告主に対して、当該広告コンテンツを掲載した媒体側への報酬の支払額を算定する、
ことを特徴とする請求項４〜６のいずれか一つに記載の登録装置。
【請求項８】
前記登録部によって登録された広告コンテンツに関する情報について、ユーザごとにリスト化されたリストを前記ユーザに提供する提供部、
をさらに備えることを特徴とする請求項１〜７のいずれか一つに記載の登録装置。
【請求項９】
前記リストに含まれる広告コンテンツについて、当該広告コンテンツの広告主、又は、当該広告コンテンツに紐付けられた商品を商材として取り扱うサイトに問い合わせることにより、当該広告コンテンツに関する情報を更新する更新部、
をさらに備えることを特徴とする請求項８に記載の登録装置。
【請求項１０】
前記提供部は、
前記リストとして、当該リストを介して前記所定の商品への購買活動をユーザに行わせること、又は、当該リストを介して当該所定の商品を商材として取り扱うサイトへユーザにアクセスさせることが可能なリストを提供する、
ことを特徴とする請求項８又は９に記載の登録装置。
【請求項１１】
広告コンテンツを配信する配信部をさらに備え、
前記配信部は、
前記リストに含まれる広告コンテンツに基づいて、当該リストに対応するユーザに対して新たに配信する広告コンテンツを決定する、
ことを特徴とする請求項８〜１０のいずれか一つに記載の登録装置。
【請求項１２】
前記配信部は、
前記ユーザに新たに配信する広告コンテンツとして、当該ユーザに対応するリストに含まれる広告コンテンツ以外の広告コンテンツを決定する、
ことを特徴とする請求項１１に記載の登録装置。
【請求項１３】
コンピュータが実行する登録方法であって、
所定の媒体の広告表示領域に表示される広告コンテンツであって、当該所定の媒体であるコンテンツを配信した配信元とは異なる配信元から端末装置に配信された広告コンテンツであり、所定の商品が紐づけられている広告コンテンツについて、当該端末装置を利用するユーザから登録要求を受け付ける受付工程と、
前記受付工程によって広告コンテンツの登録要求が受け付けられた場合に、当該広告コンテンツに関する情報と、前記ユーザとを対応付けて登録する登録工程と、
を含んだことを特徴とする登録方法。
【請求項１４】
所定の媒体の広告表示領域に表示される広告コンテンツであって、当該所定の媒体であるコンテンツを配信した配信元とは異なる配信元から端末装置に配信された広告コンテンツであり、所定の商品が紐づけられている広告コンテンツについて、当該端末装置を利用するユーザから登録要求を受け付ける受付手順と、
前記受付手順によって広告コンテンツの登録要求が受け付けられた場合に、当該広告コンテンツに関する情報と、前記ユーザとを対応付けて登録する登録手順と、
をコンピュータに実行させることを特徴とする登録プログラム。
【請求項１５】
端末装置で実行される要求プログラムであって、
所定の媒体の広告表示領域に表示される広告コンテンツであって、当該所定の媒体であるコンテンツを配信した配信元とは異なる配信元から前記端末装置に配信された広告コンテンツであり、所定の商品が紐づけられている広告コンテンツを、当該端末装置の画面上に表示するよう制御する表示制御手順と、
前記表示制御手順によって表示された広告コンテンツに対して、前記端末装置を利用するユーザから、当該広告コンテンツの登録を要求するための操作が行われたことを検知する検知手順と、
前記検知手順によって前記広告コンテンツの登録を要求するための操作が行われたと検知された場合に、当該広告コンテンツの登録要求を送信する要求手順と、
を前記端末装置に実行させることを特徴とする要求プログラム。
【請求項１６】
端末装置に配信された広告コンテンツであって、所定の商品が紐づけられている広告コンテンツについて、当該端末装置を利用するユーザから登録要求を受け付ける受付部と、
前記受付部によって広告コンテンツの登録要求が受け付けられた場合に、当該広告コンテンツに関する情報と、前記ユーザとを対応付けて登録する登録部と、
を備え、
前記登録部は、
前記広告コンテンツを登録した場合に、さらに、当該広告コンテンツに紐付けられた所定の商品を商材として取り扱うサイト側における登録情報として、当該所定の商品を前記ユーザと対応付けて登録させる、
ことを特徴とする登録装置。
【請求項１７】
コンピュータが実行する登録方法であって、
端末装置に配信された広告コンテンツであって、所定の商品が紐づけられている広告コンテンツについて、当該端末装置を利用するユーザから登録要求を受け付ける受付工程と、
前記受付工程によって広告コンテンツの登録要求が受け付けられた場合に、当該広告コンテンツに関する情報と、前記ユーザとを対応付けて登録する登録工程と、
を含み、
前記登録工程は、
前記広告コンテンツを登録した場合に、さらに、当該広告コンテンツに紐付けられた所定の商品を商材として取り扱うサイト側における登録情報として、当該所定の商品を前記ユーザと対応付けて登録させる、
ことを特徴とする登録方法。
【請求項１８】
端末装置に配信された広告コンテンツであって、所定の商品が紐づけられている広告コンテンツについて、当該端末装置を利用するユーザから登録要求を受け付ける受付手順と、
前記受付手順によって広告コンテンツの登録要求が受け付けられた場合に、当該広告コンテンツに関する情報と、前記ユーザとを対応付けて登録する登録手順と、
をコンピュータに実行させ、
前記登録手順は、
前記広告コンテンツを登録した場合に、さらに、当該広告コンテンツに紐付けられた所定の商品を商材として取り扱うサイト側における登録情報として、当該所定の商品を前記ユーザと対応付けて登録させる、
ことを特徴とする登録プログラム。